(57)【要約】【課題】低倍率時に６０度以上の画角を確保しつつ、３倍以上の変倍比を有し、かつ良好な収差性能を備えた実像式変倍ファインダー光学系を提供する。【解決手段】物体側から順に、正の屈折力を有する対物レンズ群Ｏと、正立光学系Ｐと、正の屈折力を有する接眼レンズ群Ｌとからなる実像式変倍ファインダー光学系において、対物レンズ群Ｏは、物体側から順に、負の屈折力を有する第１レンズ群Ｇ１と、正の屈折力を有する第２レンズ群Ｇ２と、負の屈折力を有する第３レンズ群Ｇ３と、正の屈折力を有する第４レンズ群Ｇ４とを有し、少なくとも第２レンズ群Ｇ２を変倍群として作用させることによって３倍以上の変倍を行い、所定の以下の条件式を満足することを特徴とする。【選択図】図１
2004258513.tif 000002
【特許請求の範囲】
【請求項１】
物体側から順に、正の屈折力を有する対物レンズ群と、正立光学系と、正の屈折力を有する接眼レンズ群とからなる実像式変倍ファインダー光学系において、
前記対物レンズ群は、物体側から順に、負の屈折力を有する第１レンズ群と、正の屈折力を有する第２レンズ群と、負の屈折力を有する第３レンズ群と、正の屈折力を有する第４レンズ群とを有し、少なくとも前記第２レンズ群を変倍群として作用させることによって３倍以上の変倍を行い、以下の条件式を満足することを特徴とする実像式変倍ファインダー光学系。
３≦ｆｔ／ｆ２＜４
−１．２＜ＳＦ１＜−０．７
ただし、
ｆｔ  ：高倍率時の前記対物レンズ群全系の焦点距離，
ｆ２  ：前記対物レンズ群における前記第２レンズ群の焦点距離，
ＳＦ１：前記対物レンズ群における前記第１レンズ群の形状因子．
【請求項２】
以下の条件式を満足することを特徴とする請求項１に記載の実像式変倍ファインダー光学系。
０．１５＜ＳＦ２＜０．３
ただし、
ＳＦ２：前記対物レンズ群における前記第２レンズ群の形状因子．
【請求項３】
前記第１レンズ群、前記第２レンズ群、前記第３レンズ群、および前記第４レンズ群は、各々単レンズ１枚のみで構成されていることを特徴とする請求項１または請求項２に記載の実像式変倍ファインダー光学系。
【請求項４】
前記対物レンズ群は、前記第４レンズ群中のレンズ面のうち、前記接眼レンズ群に対する光軸上の距離が最も小さいレンズ面の面上、または当該レンズ面の近傍に実像を形成することを特徴とする請求項１から請求項３のいずれか１項に記載の実像式変倍ファインダー光学系。
【請求項５】
前記第４レンズ群中のレンズ面のうち、前記接眼レンズ群に対する光軸上の距離が最も小さいレンズ面は、ほぼ平面であることを特徴とする請求項１から請求項４のいずれか１項に記載の実像式変倍ファインダー光学系。
【発明の詳細な説明】
【０００１】
【発明の属する技術分野】
本発明は、カメラなどに好適な実像式変倍ファインダー光学系に関する。
【０００２】
【従来の技術】
従来、高変倍の実像式変倍ファインダーが提案されている（例えば、特許文献１，２参照。）。
【０００３】
【特許文献１】
特開平１０−３１９３２０号公報
【特許文献２】
特開平２００２−７２１０７号公報
【０００４】
【発明が解決しようとする課題】
上記特許文献１に開示されている実像式変倍ファインダーは、変倍比が３倍以上と大きい。しかしながら、低倍率時の画角が小さいという問題がある。
また、上記特許文献２に開示されている実像式変倍ファインダーは、低倍率時の画角が６０度以上と大きい。しかしながら、変倍比が３倍以下で小さいという問題がある。
【０００５】
そこで本発明は上記問題点に鑑みてなされたものであり、低倍率時に６０度以上の画角を確保しつつ、３倍以上の変倍比を有し、かつ良好な収差性能を備えた実像式変倍ファインダー光学系を提供することを目的とする。
【０００６】
【課題を解決するための手段】
上記課題を解決するために本発明は、
物体側から順に、正の屈折力を有する対物レンズ群と、正立光学系と、正の屈折力を有する接眼レンズ群とからなる実像式変倍ファインダー光学系において、
前記対物レンズ群は、物体側から順に、負の屈折力を有する第１レンズ群と、正の屈折力を有する第２レンズ群と、負の屈折力を有する第３レンズ群と、正の屈折力を有する第４レンズ群とを有し、少なくとも前記第２レンズ群を変倍群として作用させることによって３倍以上の変倍を行い、以下の条件式（１），（２）を満足することを特徴とする実像式変倍ファインダー光学系を提供する。
（１）  ３≦ｆｔ／ｆ２＜４
（２）  −１．２＜ＳＦ１＜−０．７
ただし、
ｆｔ  ：高倍率時の前記対物レンズ群全系の焦点距離，
ｆ２  ：前記対物レンズ群における前記第２レンズ群の焦点距離，
ＳＦ１：前記対物レンズ群における前記第１レンズ群の形状因子．
【０００７】
また、本発明の好ましい態様によれば、
以下の条件式（３）を満足することが望ましい。
（３）  ０．１５＜ＳＦ２＜０．３
ただし、
ＳＦ２：前記対物レンズ群における前記第２レンズ群の形状因子．
【０００８】
また、本発明の好ましい態様によれば、
前記第１レンズ群、前記第２レンズ群、前記第３レンズ群、および前記第４レンズ群は、各々端レンズ１枚のみで構成されていることが望ましい。
【０００９】
また、本発明の好ましい態様によれば、
前記対物レンズ群は、前記第４レンズ群中のレンズ面のうち、前記接眼レンズ群に対する光軸上の距離が最も小さいレンズ面の面上、または当該レンズ面の近傍に実像を形成することが望ましい。
【００１０】
また、本発明の好ましい態様によれば、
前記第４レンズ群中のレンズ面のうち、前記接眼レンズ群に対する光軸上の距離が最も小さいレンズ面は、ほぼ平面であることが望ましい。
【００１１】
【発明の実施の形態】
本発明の実像式変倍ファインダー光学系は、物体側から順に、正の屈折力を有する対物レンズ群と、正立光学系と、正の屈折力を有する接眼レンズ群とからなる。対物レンズ群は、物体側から順に、負の屈折力を有する第１レンズ群と、正の屈折力を有する第２レンズ群と、負の屈折力を有する第３レンズ群と、正の屈折力を有する第４レンズ群とを有する。
そして本発明の実像式変倍ファインダー光学系は、少なくとも第２レンズ群を変倍群として作用させることによって３倍以上の変倍を行い、以下の条件式（１），（２）を満足するように構成されている。
（１）  ３≦ｆｔ／ｆ２＜４
（２）  −１．２＜ＳＦ１＜−０．７
ただし、
ｆｔ  ：高倍率時の対物レンズ群全系の焦点距離，
ｆ２  ：対物レンズ群における第２レンズ群の焦点距離，
ＳＦ１：対物レンズ群における第１レンズ群の形状因子．
【００１２】
条件式（１）は、３倍以上の変倍比を確保し、かつ対物レンズ群の小型化を図るための条件式であって、変倍群として作用する第２レンズ群の屈折力を規定するものである。
条件式（１）の下限値を下回ると、３倍以上の変倍比を確保するために第２レンズ群の移動量が増大し、対物レンズ群の大型化を招いてしまう。
一方、条件式（１）の上限値を上回ると、第２レンズ群の屈折力が大きくなるため、変倍比を大きくすることができる。しかし、変倍によって生じる収差の変動が大きくなるため、良好な収差性能を確保することが困難になってしまう。
【００１３】
条件式（２）は、高変倍に対応しつつ、低倍率時に広視野を確保するための条件式であり、対物レンズ群における第１レンズ群の形状を規定するものである。
ここで、上記第１レンズ群の形状因子ＳＦ１は、次式で定義される。
ＳＦ１＝（Ｒ１２＋Ｒ１１）／（Ｒ１２−Ｒ１１）
ただし、
Ｒ１１：第１レンズ群中の最も物体側のレンズ面の曲率半径，
Ｒ１２：第１レンズ群中の最も像側のレンズ面の曲率半径．
【００１４】
条件式（２）の下限値を下回ると、広い視野を確保することは容易になる。しかし、変倍比を大きくする際に、収差の変動が大きくなってしまうため望ましくない。
一方、条件式（２）の上限値を上回ると、変倍比を大きくする際に、収差の変動を軽減することができる。しかし、低倍率時に収差の性能が低下してしまう。
【００１５】
また、本発明の実像式変倍ファインダー光学系は、以下の条件式（３）を満足することが望ましい。
（３）  ０．１５＜ＳＦ２＜０．３
ただし、
ＳＦ２：対物レンズ群における第２レンズ群の形状因子．
【００１６】
条件式（３）は、広視野および高変倍を達成しつつ、良好な収差性能を確保するための条件式であり、第２レンズ群の形状因子を規定するものである。
ここで、上記第２レンズ群の形状因子ＳＦ２は、次式で定義される。
ＳＦ２＝（Ｒ２２＋Ｒ２１）／（Ｒ２２−Ｒ２１）
ただし、
Ｒ２１：第２レンズ群中の最も物体側のレンズ面の曲率半径，
Ｒ２２：第２レンズ群中の最も像側のレンズ面の曲率半径．
【００１７】
条件式（３）の下限値を下回ると、変倍比を大きくする際に発生する収差の変動を軽減することができなくなってしまう。特に、高倍率時に球面収差やコマ収差の補正が不十分になってしまう。
一方、条件式（３）の上限値を上回ると、低倍率時に球面収差やコマ収差を補正し過ぎることになってしまうため望ましくない。
【００１８】
また、本発明の実像式変倍ファインダー光学系には、非球面を導入することが望ましい。
本発明の実像式変倍ファインダー光学系の各レンズ群に非球面を導入することによって、収差の補正や各レンズ群のレンズ枚数を軽減することが容易になる。
また、第１レンズ群、第２レンズ群、第３レンズ群、および第４レンズ群は、各々貼合せレンズまたは単レンズ１枚のみでも構成できる。特に、全てのレンズ群を各々単レンズ１枚のみで構成すれば、レンズ枚数を軽減することができ、軽量化を達成することもできる。
【００１９】
また、対物レンズ群は、第４レンズ群中のレンズ面のうち、接眼レンズ群に対する光軸上の距離が最も小さいレンズ面の面上、または当該レンズ面の近傍に実像を形成することが望ましい。これにより、不図示の視野枠および視野内の指標などを前記レンズ面の面上に配設することができる。このため、視野枠および視野内の指標などの保持部材を別途必要とすることがなく、構成を簡略化することができ、製造コストを低減することができる。特に、対物レンズ群は、前記レンズ面の面上に実像を形成することがより好ましい。また、前記レンズ面を平面とすれば、その面上に配設された視野枠および視野内の指標と実像面を同一面上に形成できるので、視差のない良好な視野を得ることができる。
【００２０】
以下、本発明の各実施例に係る実像式変倍ファインダー光学系を添付図面に基づいて説明する。
（第１実施例）
図１は、本発明の第１実施例に係る実像式変倍ファインダー光学系のレンズ構成を示す断面図である。図１において、（ａ），（ｂ），（ｃ）はそれぞれ、本実施例に係る実像式変倍ファインダー光学系の低倍率時，中倍率時，高倍率時の断面を示している。
本実施例に係る実像式変倍ファインダー光学系は、物体側から順に、対物レンズ群Ｏと、正立化部材Ｐと、接眼レンズＬとからなる。
【００２１】
対物レンズ群Ｏは、物体側から順に、第１レンズ群Ｇ１と、第２レンズ群Ｇ２と、第３レンズ群Ｇ３と、第４レンズ群Ｇ４とからなる。この対物レンズ群Ｏは、第４レンズ群Ｇ４中のレンズ面のうち、接眼レンズＬに対する光軸ＡＸ上の距離が最も小さいレンズ面の面上に実像を形成するものである。
第２レンズ群Ｇ２は、変倍群として作用するレンズ群であり、光軸ＡＸに沿って物体側へ線形に移動することによって、対物レンズ群Ｏの焦点距離を長焦点距離に変化させる（低倍から高倍へ変倍させる）。
第３レンズ群Ｇ３は、光軸ＡＸに沿って移動することによって、変倍に伴う対物レンズ群Ｏの実像面Ｉの位置の変化を補正する。第４レンズ群Ｇ４中のレンズ面のうち、接眼レンズＬに対する光軸ＡＸ上の距離が最も小さい上述のレンズ面は平面であり、対物レンズ群Ｏの実像面Ｉはこのレンズ面上に形成されている。
【００２２】
正立化部材Ｐは、プリズムによって構成されており、対物レンズ群Ｏによって形成された実像を正立像とするものである。尚、この正立化部材Ｐは、図１において展開した状態で示されている。
尚、本実施例では、第１レンズ群Ｇ１、第２レンズ群Ｇ２、第３レンズ群Ｇ３、および第４レンズ群Ｇ４は各々全て単レンズ１枚のみで構成されている。また、第３レンズ群Ｇ３と第４レンズ群Ｇ４との間に、不図示の反射部材が配置されており、対物レンズ群Ｏの光路を折り曲げる構成としている。この反射部材は、正立化部材Ｐとともに、対物レンズ群Ｏによって結像される実像を正立像とする。
斯かる構成の対物レンズ群Ｏおよび正立化部材Ｐを経た光は、接眼レンズＬを介してアイポイントＥ．Ｐにて観察されることとなる。
【００２３】
以下の表１に、本発明の第１実施例に係る実像式変倍ファインダー光学系の諸元値を掲げる。
（全体諸元）において、ｍはファインダー倍率、Ｄは視度（単位：ディオプタ−）、２ωはファインダー画角（単位：度）、Ｅ．Ｐはアイポイントをそれぞれ示す。ここで、視度の単位「ディオプター」は、以下「Ｄｐｔ」で示す。視度Ｘ［ディオプター］とは、接眼レンズによる像がアイポイントから光軸上に１／Ｘ［ｍ（メートル）］の位置にできる状態のことを示す（尚、符号は像がアイポイントより物体側にできた時を負とする。）。
（レンズデータ）において、面は物体側からの光学面の順序、間隔は光学面の間隔をそれぞれ示す。また、屈折率はｄ線（λ＝５８７．５６ｎｍ）に対する値である。また、曲率半径０．０００００は平面を示す。
【００２４】
ここで、本実施例に係るズームレンズ中の非球面は、以下の非球面式で表される。尚、ｙは光軸からの高さ、ｘはサグ量、ｒは基準球面の曲率半径（近軸曲率半径）、κは円錐定数、Ｃ４，Ｃ６，Ｃ８，Ｃ１０  は各々４，６，８，１０次の非球面係数とする。また非球面は、（レンズデータ）におけるその面番号に＊印を付して示している。
【００２５】
【数１】
2004258513.tif 000003
【００２６】
ここで、以下の全ての諸元値において掲載されている焦点距離、曲率半径、その他長さの単位は一般に「ｍｍ」が使われる。しかし光学系は、比例拡大または比例縮小しても同等の光学性能が得られるため、単位はｍｍに限られるものではない。
尚、以下の全実施例の諸元値においても、本実施例と同様の符号を用いる。
【００２７】
【表１】
2004258513.tif 000004
2004258513.tif 000005
【００２８】
図２，３，４はそれぞれ、本発明の第１実施例に係る実像式変倍ファインダー光学系の低倍率時，中倍率時，高倍率時の諸収差を示す図である。
各収差図は、左側から順に、球面収差、非点収差、歪曲収差、コマ収差を示し、これらの下方には倍率色収差を示している。各収差図において、Ｃ，Ｆ，ｄはそれぞれ、Ｃ線（λ＝６５６．２８ｎｍ）、Ｆ線（λ＝４８６．１３ｎｍ）、ｄ線（λ＝５８７．５６ｎｍ）での収差曲線を示している。
【００２９】
球面収差図において、縦軸はファインダー光学系への光線の入射高さ（Ｈ）を示し、横軸は視度を示す。非点収差図において、縦軸はファインダー光学系への光線の入射半画角（Ａ）を示し、横軸は視度を示す。また非点収差図において、実線はサジタル方向での非点収差、破線はメリディオナル方向での非点収差をそれぞれ示す。歪曲収差図において、縦軸はファインダー光学系への光線の入射半画角（Ａ）を示す。尚、球面収差図、非点収差図および歪曲収差図ではそれぞれ、入射高さの最大値、入射半画角の最大値を示している。コマ収差図は、各半画角Ａでの収差を示し、コマ収差図および倍率色収差図において、縦軸はファインダー光学系からの光線の射出角度を示す。
尚、以下に示す全実施例の諸収差図において、本実施例と同様の符号を用いる。
【００３０】
以上、本実施例に係る実像式変倍ファインダー光学系は、非常に単純なレンズ構成であって、低倍率時に６０度以上の画角を有しつつ、３倍以上の変倍比を有する。
また各諸収差図より、本実施例に係る実像式変倍ファインダー光学系は、低倍率時、中倍率時、および高倍率時にわたって良好に収差を補正していることがわかる。
【００３１】
（第２実施例）
図５は、本発明の第２実施例に係る実像式変倍ファインダー光学系のレンズ構成を示す断面図である。図５において、（ａ），（ｂ），（ｃ）はそれぞれ、本実施例に係る実像式変倍ファインダー光学系の低倍率時，中倍率時，高倍率時の断面を示している。
本実施例に係る実像式変倍ファインダー光学系は、物体側から順に、対物レンズ群Ｏと、正立化部材Ｐと、接眼レンズＬとからなる。
【００３２】
対物レンズ群Ｏは、物体側から順に、第１レンズ群Ｇ１と、第２レンズ群Ｇ２と、第３レンズ群Ｇ３と、第４レンズ群Ｇ４とからなる。この対物レンズ群Ｏは、第４レンズ群Ｇ４中のレンズ面のうち、接眼レンズＬに対する光軸ＡＸ上の距離が最も小さいレンズ面の面上に実像を形成するものである。
第２レンズ群Ｇ２は、変倍群として作用するレンズ群であり、光軸ＡＸに沿って物体側へ線形に移動することによって、対物レンズ群Ｏの焦点距離を長焦点距離に変化させる（低倍から高倍へ変倍させる）。
第３レンズ群Ｇ３は、光軸ＡＸに沿って移動することによって、変倍に伴う対物レンズ群Ｏの実像面Ｉの位置の変化を補正する。第４レンズ群Ｇ４中のレンズ面のうち、接眼レンズＬに対する光軸ＡＸ上の距離が最も小さい上述のレンズ面は平面であり、対物レンズ群Ｏの実像面Ｉはこのレンズ面上に形成されている。
【００３３】
正立化部材Ｐは、プリズムによって構成されており、対物レンズ群Ｏによって形成された実像を正立像とするものである。尚、この正立化部材Ｐは、図５において展開した状態で示されている。
尚、本実施例では、第１レンズ群Ｇ１、第２レンズ群Ｇ２、第３レンズ群Ｇ３、および第４レンズ群Ｇ４は各々全て単レンズ１枚のみで構成されている。また、第３レンズ群Ｇ３と第４レンズ群Ｇ４との間に、不図示の反射部材が配置されており、対物レンズ群Ｏの光路を折り曲げる構成としている。この反射部材は、正立化部材Ｐとともに、対物レンズ群Ｏによって結像される実像を正立像とする。
斯かる構成の対物レンズ群Ｏおよび正立化部材Ｐを経た光は、接眼レンズＬを介してアイポイントＥ．Ｐにて観察されることとなる。
以下の表２に、本発明の第２実施例に係る実像式変倍ファインダー光学系の諸元値を掲げる。
【００３４】
【表２】
2004258513.tif 000006
2004258513.tif 000007
2004258513.tif 000008
【００３５】
図６，７，８はそれぞれ、本発明の第２実施例に係る実像式変倍ファインダー光学系の低倍率時，中倍率時，高倍率時の諸収差を示す図である。
以上、本実施例に係る実像式変倍ファインダー光学系は、非常に単純なレンズ構成であって、低倍率時に６０度以上の画角を有しつつ、３倍以上の変倍比を有する。
また各諸収差図より、本実施例に係る実像式変倍ファインダー光学系は、低倍率時、中倍率時、および高倍率時にわたって良好に収差を補正していることがわかる。
【００３６】
（第３実施例）
図９は、本発明の第３実施例に係る実像式変倍ファインダー光学系のレンズ構成を示す断面図である。図９において、（ａ），（ｂ），（ｃ）はそれぞれ、本実施例に係る実像式変倍ファインダー光学系の低倍率時，中倍率時，高倍率時の断面を示している。
本実施例に係る実像式変倍ファインダー光学系は、物体側から順に、対物レンズ群Ｏと、正立化部材Ｐと、接眼レンズＬとからなる。
【００３７】
対物レンズ群Ｏは、物体側から順に、第１レンズ群Ｇ１と、第２レンズ群Ｇ２と、第３レンズ群Ｇ３と、第４レンズ群Ｇ４とからなる。この対物レンズ群Ｏは、第４レンズ群Ｇ４中のレンズ面のうち、接眼レンズＬに対する光軸ＡＸ上の距離が最も小さいレンズ面の面上に実像を形成するものである。
第２レンズ群Ｇ２は、変倍群として作用するレンズ群であり、光軸ＡＸに沿って物体側へ線形に移動することによって、対物レンズ群Ｏの焦点距離を長焦点距離に変化させる（低倍から高倍へ変倍させる）。
第３レンズ群Ｇ３は、光軸ＡＸに沿って移動することによって、変倍に伴う対物レンズ群Ｏの実像面Ｉの位置の変化を補正する。第４レンズ群Ｇ４中のレンズ面のうち、接眼レンズＬに対する光軸ＡＸ上の距離が最も小さい上述のレンズ面は平面であり、対物レンズ群Ｏの実像面Ｉはこのレンズ面上に形成されている。
【００３８】
正立化部材Ｐは、プリズムによって構成されており、対物レンズ群Ｏによって形成された実像を正立像とするものである。尚、この正立化部材Ｐは、図９において展開した状態で示されている。
尚、本実施例では、第１レンズ群Ｇ１、第２レンズ群Ｇ２、第３レンズ群Ｇ３、および第４レンズ群Ｇ４は各々全て単レンズ１枚のみで構成されている。また、第３レンズ群Ｇ３と第４レンズ群Ｇ４との間に、不図示の反射部材が配置されており、対物レンズ群Ｏの光路を折り曲げる構成としている。この反射部材は、正立化部材Ｐとともに、対物レンズ群Ｏによって結像される実像を正立像とする。
斯かる構成の対物レンズ群Ｏおよび正立化部材Ｐを経た光は、接眼レンズＬを介してアイポイントＥ．Ｐにて観察されることとなる。
以下の表３に、本発明の第３実施例に係る実像式変倍ファインダー光学系の諸元値を掲げる。
【００３９】
【表３】
2004258513.tif 000009
2004258513.tif 000010
2004258513.tif 000011
【００４０】
図１０，１１，１２はそれぞれ、本発明の第３実施例に係る実像式変倍ファインダー光学系の低倍率時，中倍率時，高倍率時の諸収差を示す図である。
以上、本実施例に係る実像式変倍ファインダー光学系は、非常に単純なレンズ構成であって、低倍率時に６０度以上の画角を有しつつ、３倍以上の変倍比を有する。
また各諸収差図より、本実施例に係る実像式変倍ファインダー光学系は、低倍率時、中倍率時、および高倍率時にわたって良好に収差を補正していることがわかる。
【００４１】
【発明の効果】
本発明によれば、低倍率時に６０度以上の画角を確保しつつ、３倍以上の変倍比を有し、かつ良好な収差性能を備えた実像式変倍ファインダー光学系を提供することができる。
【図面の簡単な説明】
【図１】本発明の第１実施例に係る実像式変倍ファインダー光学系のレンズ構成を示す断面図であり、（ａ），（ｂ），（ｃ）はそれぞれ、低倍率時，中倍率時，高倍率時を示している。
【図２】本発明の第１実施例に係る実像式変倍ファインダー光学系の低倍率時の諸収差を示す図である。
【図３】本発明の第１実施例に係る実像式変倍ファインダー光学系の中倍率時の諸収差を示す図である。
【図４】本発明の第１実施例に係る実像式変倍ファインダー光学系の高倍率時の諸収差を示す図である。
【図５】本発明の第２実施例に係る実像式変倍ファインダー光学系のレンズ構成を示す断面図であり、（ａ），（ｂ），（ｃ）はそれぞれ、低倍率時，中倍率時，高倍率時を示している。
【図６】本発明の第２実施例に係る実像式変倍ファインダー光学系の低倍率時の諸収差を示す図である。
【図７】本発明の第２実施例に係る実像式変倍ファインダー光学系の中倍率時の諸収差を示す図である。
【図８】本発明の第２実施例に係る実像式変倍ファインダー光学系の高倍率時の諸収差を示す図である。
【図９】本発明の第３実施例に係る実像式変倍ファインダー光学系のレンズ構成を示す断面図であり、（ａ），（ｂ），（ｃ）はそれぞれ、低倍率時，中倍率時，高倍率時を示している。
【図１０】本発明の第３実施例に係る実像式変倍ファインダー光学系の低倍率時の諸収差を示す図である。
【図１１】本発明の第３実施例に係る実像式変倍ファインダー光学系の中倍率時の諸収差を示す図である。
【図１２】本発明の第３実施例に係る実像式変倍ファインダー光学系の高倍率時の諸収差を示す図である。
【符号の説明】
Ｏ      対物レンズ群
Ｇ１    第１レンズ群
Ｇ２    第２レンズ群
Ｇ３    第３レンズ群
Ｇ４    第４レンズ群
Ｐ      正立化部材
Ｉ      対物レンズ群の実像面
Ｌ      接眼レンズ
Ｅ．Ｐ      アイポイント
ＡＸ    光軸
【図１】
2004258513.tif 000012
【図２】
2004258513.tif 000013
【図３】
2004258513.tif 000014
【図４】
2004258513.tif 000015
【図５】
2004258513.tif 000016
【図６】
2004258513.tif 000017
【図７】
2004258513.tif 000018
【図８】
2004258513.tif 000019
【図９】
2004258513.tif 000020
【図１０】
2004258513.tif 000021
【図１１】
2004258513.tif 000022
【図１２】
2004258513.tif 000023